(57)【要約】      （修正有）【課題】スプリットリングの巻かれた部分を開く過程で発生する捩れ力、または釣り糸用ラインなどの切断過程で発生する捩れ力を、支持できるプライヤを提供する【解決手段】回転軸部２０；前記回転軸部２０の片側で前記回転軸部２０と連結された一対のハンドル部３０Ａ、３０Ｂ；及び前記回転軸部２０の反対側で前記回転軸部２０と連結された一対の掴み部１０Ａ、１０Ｂを含む汎用プライヤ１００において、一対のハンドル部３０Ａ、３０Ｂ及び一対の掴み部１０Ａ、１０Ｂの少なくとも一方に前記回転軸部２０に隣接して捩れ防止部１６、３１を備え、前記捩れ防止部１６、３１は一対の部分円形板が互いに対面している。【選択図】図１
2017007081.tif 000002
【特許請求の範囲】
【請求項１】
回転軸部２０；
前記回転軸部２０の片側で前記回転軸部２０と連結された一対のハンドル部３０Ａ、３０Ｂ；及び
前記回転軸部２０の反対側で前記回転軸部２０と連結された一対の掴み部１０Ａ、１０Ｂ；を含む汎用プライヤにおいて、
一対のハンドル部３０Ａ、３０Ｂ及び一対の掴み部１０Ａ、１０Ｂの少なくとも一方に前記回転軸部２０に隣接して捩れ防止部１６、３１を備え、
前記捩れ防止部１６、３１は一対の部分円形板１６Ａ、１６Ｂ；３１Ａ、３１Ｂが互いに対面していることを特徴とする捩れ防止工具用プライヤ。
【請求項２】
前記回転軸部２０は、
第１孔２０Ａａを含む第１回転軸部２０Ａ；
第２孔２０Ｂｂを含む第２回転軸部２０Ｂ；
前記第１孔２０Ａａに挿入される第１回転軸部材２０Ｄ；及び
前記第２孔２０Ｂｂに挿入される第２回転軸部材２０Ｃ；を含み、
前記第１回転軸部材２０Ｄと第２回転軸部材２０Ｃとが結合して回転軸中心を成し、
前記第１孔２０Ａａ及び第１回転軸部材２０Ｄの第１孔に挿入される部分は円形であり、
前記第２孔２０Ｂｂ及び第２回転軸部材２０Ｃの第２孔に挿入される部分は互いに相対回転不可な形状であり、
第１回転軸部２０Ａのみが第１回転軸部材２０Ｄと第２回転軸部材２０Ｃとからなる回転軸中心に対して回転自在であり、第１回転軸部２０Ａと連結される掴み部１０Ａ及びハンドル部３０Ａは前記回転軸中心に対して回転自在であり、第２回転軸部２０Ｂと連結される掴み部１０Ｂ及びハンドル部３０Ｂは前記回転軸中心に対して回転不可であることを特徴とする請求項１に記載の捩れ防止工具用プライヤ。
【請求項３】
前記掴み部１０Ａ、１０Ｂは捩れ防止部１３をさらに含み、
前記捩れ防止部１３は前記一対の掴み部１０Ａ、１０Ｂの片方に形成されたピン１３Ａと、他方に形成された前記ピンを収容する収容空洞とからなることを特徴とする請求項１または請求項２に記載の捩れ防止工具用プライヤ。
【請求項４】
前記一対の掴み部１０Ａ、１０Ｂの少なくとも一方の底面にはガイド突出部１２Ｅが形成され、
入れ替えられる工具チップにはガイド溝１２Ｆが形成され、前記入れ替えられる工具チップが前記一対の掴み部の少なくとも一方の底面に組み立てられる場合、前記ガイド突出部１２Ｅが前記ガイド溝１２Ｆに挿入されて左右に揺れることを防止することを特徴とする請求項１または請求項２に記載の捩れ防止工具用プライヤ。
【請求項５】
前記一対の掴み部１０Ａ、１０Ｂの底面にはそれぞれ一体的に形成された一対のスプリットリング挿入部１１及び凹凸部１２が挿入され組み立てられ、
前記一体的に形成された一対のスプリットリング挿入部１１及び凹凸部１２のそれぞれにはガイド溝１２Ｆが形成され、一対の掴み部１０Ａ、１０Ｂのそれぞれの底面にはガイド突出部１２Ｅが形成され、組み立てられた後、前記ガイド突出部１２Ｅが前記ガイド溝１２Ｆに挿入されて左右に揺れることを防止することを特徴とする請求項１または請求項２に記載の捩れ防止工具用プライヤ。
【発明の詳細な説明】
【技術分野】
【０００１】
本発明は、汎用プライヤ、特に釣り糸用汎用プライヤに関する。
【背景技術】
【０００２】
プライヤは、古代ヨーロッパの青銅器時代に高温の金属を扱うために使用された矢床から由来するものであって、対象物を堅固に掴むために用いられるハンドツールである。
【０００３】
プライヤは多様な範囲の材料から成る物体を曲げたり圧縮したり切断したりするために使用される。回転軸を中心に片側は一対の掴み部を構成し、反対側は一対のハンドル部を構成し、ハンドルに力を加えれば回転軸を中心に掴み部が動く。
前記掴み部及びハンドル部は、回転軸を中心にてこの原理で力を作用させる。
【０００４】
本発明は、従来のプライヤに釣りの準備段階で求められる様々な機能を集約構成したプライヤに関するが、釣りに限定されず、多様な分野に適用することができる。
【０００５】
釣りの準備段階ではポリエチレンライン（釣り糸）、カーボンライン、ナイロンラインのような釣り糸を切断したり、ワイヤ及びワイヤを含むラインを切断する機能、及び釣り用餌及び釣り針をスプリットリングに固定するための機能など多様な機能を必要とする。本発明は、このような多様な機能を備えたプライヤに関する。
【０００６】
韓国実用新案登録第２０−０２０２７３２号（特許文献１）及び第２０−０２９６９６５号（特許文献２）に釣り用プライヤが開示されているが、捩れ防止機能及びスプリットリングに対する機能については開示されていない。
【先行技術文献】
【特許文献】
【０００７】
【特許文献１】韓国実用新案登録第２０−０２０２７３２号
【特許文献２】韓国実用新案登録第２０−０２９６９６５号
【発明の概要】
【発明が解決しようとする課題】
【０００８】
本発明は、従来のプライヤに釣りの準備段階で求められる様々な機能を集約して構成し、特にスプリットリングに釣り用擬似餌または釣り用針を固定するときに使用できるプライヤを提供することを目的とする。
【０００９】
また、本発明は、スプリットリングの巻かれた部分を開く過程で発生する捩れ力または釣り糸用ラインなどの切断過程で発生する捩れ力を支持できるプライヤを提供することを目的とする。
【００１０】
また、本発明は、スプリットリングを開く過程だけでなく、プライヤを多様な用途で使用するときに発生する捩れ力を支持できるプライヤを提供することを目的とする。
また、本発明は、摩耗した部分を容易に入れ替えることができるプライヤを提供することを目的とする。
また、本発明は、軽くて容易に作動可能なプライヤを提供することを目的とする。
【課題を解決するための手段】
【００１１】
本発明は、回転軸部２０；前記回転軸部２０の片側で前記回転軸部２０と連結された一対のハンドル部３０Ａ、３０Ｂ；及び前記回転軸部２０の反対側で前記回転軸部２０と連結された一対の掴み部１０Ａ、１０Ｂを含む汎用プライヤにおいて、一対のハンドル部３０Ａ、３０Ｂ及び一対の掴み部１０Ａ、１０Ｂの少なくとも一方に前記回転軸部２０に隣接して捩れ防止部１６、３１を備え、前記捩れ防止部１６、３１は一対の部分円形板１６Ａ、１６Ｂ；３１Ａ、３１Ｂが互いに対面していることを特徴とする捩れの少ない広範囲スプリットリングプライヤ１００に関する。
【００１２】
また、本発明において、前記回転軸部２０は、第１孔２０Ａａを含む第１回転軸部２０Ａ；第２孔２０Ｂｂを含む第２回転軸部２０Ｂ；前記第１孔２０Ａａに挿入される第１回転軸部材２０Ｄ；及び前記第２孔２０Ｂｂに挿入される第２回転軸部材２０Ｃを含み、前記第１回転軸部材２０Ｄと第２回転軸部材２０Ｃとが結合して回転軸中心を成し、前記第１孔２０Ａａ及び第１回転軸部材２０Ｄの第１孔に挿入される部分は円形であり、前記第２孔２０Ｂｂ及び第２回転軸部材２０Ｃの第２孔に挿入される部分は互いに相対回転不可な形状であり、第１回転軸部２０Ａのみが第１回転軸部材２０Ｄと第２回転軸部材２０Ｃとからなる回転軸中心に対して回転自在であり、第１回転軸部２０Ａと連結される掴み部１０Ａ及びハンドル部３０Ａは前記回転軸中心に対して回転自在であり、第２回転軸部２０Ｂと連結される掴み部１０Ｂ及びハンドル部３０Ｂは前記回転軸中心に対して回転不可であることを特徴とする。
【００１３】
また、本発明において、掴み部１０は捩れ防止部１３をさらに含み、前記捩れ防止部１３は前記一対の掴み部１０Ａ、１０Ｂの片方に形成されたピン１３Ａと、他方に形成された前記ピンを収容する収容空洞とからなる。
【００１４】
また、本発明において、前記一対の掴み部１０Ａ、１０Ｂの底面にはそれぞれ一体的に形成された一対のスプリットリング挿入部１１及び凹凸部１２が挿入され組み立てられ、前記一体的に形成された一対のスプリットリング挿入部１１及び凹凸部１２のそれぞれにはガイド溝１２Ｆが形成され、一対の掴み部１０Ａ、１０Ｂのそれぞれの底面にはガイド突出部１２Ｅが形成され、組み立てられた後、前記ガイド突出部１２Ｅが前記ガイド溝１２Ｆに挿入されて左右に揺れることを防止できる。
【００１５】
前記スプリットリング挿入部１１及び凹凸部１２は他の用途の工具チップに入れ替えることができ、入れ替えられる工具チップにもガイド溝１２Ｆが形成され、掴み部１０Ａ、１０Ｂの底面に組み立てられる場合、前記ガイド溝１２Ｆに掴み部の底面のガイド突出部１２Ｅが挿入されて左右に揺れることを防止する。
【発明の効果】
【００１６】
本発明の汎用プライヤによれば、掴み部にスプリットリングの巻かれた部分を開くことができるスプリットリング挿入部を構成することで、スプリットリングに釣り針または擬似餌を容易に取り付けることができる。
また、本発明の汎用プライヤは、釣り用品に限定されず、その他スプリットリングを用いる製品に使用することができる。
【００１７】
また、本発明の汎用プライヤは、掴み部及びハンドル部の少なくとも一方に捩れ防止部を備えることで、スプリットリングの巻かれた部分を開く過程または釣り糸用ラインなどの切断過程のような多様な過程で発生する捩れ力を支持することができる。
また、本発明のプライヤの部品のうち摩耗する部品はねじ結合式で組み立てられるため、容易に入れ替えることができる。
また、本発明のプライヤは、ハンドルに多数の空洞、凹部及び凸部を形成することで、重量を減らして容易に作動することができる。
【図面の簡単な説明】
【００１８】
【図１】本発明の汎用プライヤの平面図である。
【図２】本発明の汎用プライヤの分解図である。
【図３】本発明の汎用プライヤの分解図である。
【図４】本発明の回転軸部の回転軸部材２０Ｃ、２０Ｄの拡大斜視図である。
【図５】本発明の汎用プライヤの作動状態図である。
【図６ａ】本発明の汎用プライヤのスプリットリング挿入部の拡大図である。
【図６ｂ】本発明のスプリットリング挿入部の進行過程を示した図である。
【図６ｃ】本発明のスプリットリング挿入部の進行過程を示した図である。
【図６ｄ】本発明のスプリットリング挿入部の進行過程を示した図である。
【図７ａ】本発明の汎用プライヤを用いてスプリットリングに擬似餌を取り付ける方法を示した図である。
【図７ｂ】本発明の汎用プライヤを用いてスプリットリングに擬似餌を取り付ける方法を示した図である。
【図７ｃ】本発明の汎用プライヤを用いてスプリットリングに擬似餌を取り付ける方法を示した図である。
【図８】本発明の汎用プライヤの捩れ防止部１６、３１の拡大図である。
【図９】本発明のスプリットリング挿入部１１及び凹凸部１２が挿入され組み立てられる掴み部の底面を示した図である。
【図１０ａ】テーパー部１１Ａ、下部支持部１１Ｂ及び凸設部１１Ｃが凹凸部１２と一体的に形成されて掴み部に挿入される構成を示した図である。
【図１０ｂ】凹設部１１Ｄ及びスプリットリング引っ掛け部１１Ｅが凹凸部１２と一体的に形成されて掴み部に挿入される構成を示した図である。
【図１０ｃ】スプリットリング挿入部１１にスプリットリング２００が掛けられた状態を示した図である。
【図１１】釣り針調整部を示した図である。
【図１２】調整される釣り針を示した図である。
【発明を実施するための形態】
【００１９】
図１は、本発明の汎用プライヤの平面図である。
本発明の汎用プライヤ１００は、回転軸部２０を中心に片側には掴み部１０が構成され、反対側にはハンドル部３０が構成される。
【００２０】
一対のハンドル部３０Ａ、３０Ｂを握ったり広げながら力を加えれば、回転軸部２０を中心に掴み部１０が開いたり閉じられながら、掴み部の多様な機能が作動する。
【００２１】
図１に示されたように、掴み部１０は、スプリットリング挿入部１１、凹凸部１２、捩れ防止部１３、ラインカッター部１４、ワイヤカッター部１５、及び捩れ防止部１６で構成され、多様な機能を有する。回転軸部２０の側面には潤滑油供給口４０が設けられ、ハンドル部３０には追加的な捩れ防止部３１が設けられている。それぞれの機能を説明すれば、次のようである。
【００２２】
図３に示されたように、本発明の汎用プライヤは、第１掴み部１０Ａ、第１回転軸部２０Ａ及び第１ハンドル部３０Ａからなる第１本体１００Ａ；第２掴み部１０Ｂ、第２回転軸部２０Ｂ及び第２ハンドル部３０Ｂからなる第２本体１００Ｂ；からなり、第１回転軸部２０Ａの第１孔２０Ａａには第１回転軸部材２０Ｄが挿入され、第２回転軸部２０Ｂの第２孔２０Ｂｂには第２回転軸部材２０Ｃが挿入され、第２回転軸部材２０Ｃの孔２０Ｃｃに第１回転軸部材２０Ｄの円柱型の突出部２０Ｄｂが挿入され結合される。
【００２３】
図４は、一対の第１及び第２回転軸部材２０Ｃ、２０Ｄの拡大斜視図である。第１回転軸部材２０Ｄは、円板ヘッド２０Ｄａ、及び前記円板ヘッドの中心部から突設される円柱型の突出部２０Ｄｂで形成され、第２回転軸部材２０Ｃは、円板ヘッド２０Ｃａ、及び前記円板ヘッド２０Ｃａの中心部に形成され、両側面が切断された円形の断面を有する突出部２０Ｃｂで形成され、前記突出部２０Ｃｂの中央には円形の孔２０Ｃｃが形成されている。
【００２４】
図３及び図４に示されたように、第２回転軸部２０Ｂの第２孔２０Ｂｂも図４に示された突出部２０Ｃｂの断面、すなわち両方面が切断された円形の断面を有し、第２回転軸部材２０Ｃが第２回転軸部２０Ｂの第２孔２０Ｂｂに挿入されれば、このような断面の形態のため、第２本体１００Ｂは第２回転軸部材２０Ｃを中心に回転することができない。
【００２５】
一方、第１回転軸部２０Ａの第１孔２０Ａａの断面は、図４に示された突出部２０Ｄｂのように円形であるため、第１回転軸部材２０Ｄが第１回転軸部２０Ａの第１孔２０Ａａに挿入されれば、第１本体１００Ａは第１回転軸部材２０Ｄを中心に回転することができる。
【００２６】
第１回転軸部材２０Ｄの円柱型の突出部２０Ｄｂが第２回転軸部材２０Ｃの円形の孔２０Ｃｄに挿入されて図５のように組み立てられれば、第２本体１００Ｂは回転軸部２０を中心に回転できず、第１本体１００Ａのみが回転できる。
【００２７】
本発明のようなプライヤには、使用中に捩れ力（モーメント）が加えられることがあるが、本発明では一対の本体１００Ａ、１００Ｂが全て動くことなく、一方の本体１００Ｂは回転軸部２０に対して動かず、他方の本体１００Ａのみが回転軸部２０に対して動くようにして、プライヤ自体の自由度を減らしてより効率的に捩れ力を支持できるようにした。
【００２８】
スプリットリング挿入部１１は、掴み部１０で回転軸部２０の反対側の端部に設けられ、一対の掴み部１０の片方１０Ａで汎用プライヤの縦軸（Ｌ軸）の垂直方向に突出した部分、及び掴み部１０の他方１０Ｂで前記突出した部分を収容する部分からなる。
【００２９】
図６ａを参照して前記スプリットリング挿入部１１を詳しく説明すれば、掴み部１０の片方１０Ａの端部は、先細りになるテーパー部１１Ａ、前記テーパー部１１Ａの底面より大きいか又は同じ断面を有する下部支持部１１Ｂ、及び側面の凸設部１１Ｃからなり、前記掴み部１０の他方１０Ｂの端部は、前記凸設部１１Ｃを収容する凹設部１１Ｄ、及び前記凹設部１１Ｄの側面でスプリットリング２００の位置を固定するスプリットリング引っ掛け部１１Ｅからなる。
前記一対の掴み部１０の他方１０Ｂの長さは、前記下部支持部１１Ｂが形成された掴み部の片方１０Ａの長さより前記下部支持部１１Ｂの幅ほど短い。
【００３０】
図６ｂないし図６ｄを見れば、掴み部が閉じられる場合、掴み部１０の片方１０Ａの凸設部１１Ｃが掴み部１０の他方１０Ｂの凹設部１１Ｄに沿って閉じられることが分かる。
このように、掴み部１０の片方１０Ａの凸設部１１Ｃと掴み部１０の他方１０Ｂの凹設部１１Ｄはガイドレールのような機能を果たす。
望ましくは、テーパー部１１Ａの断面と下部支持部１１Ｂの断面とは不連続的に構成される。
【００３１】
前記テーパー部１１Ａは尖った形状でなるため、図７ａのように円形に巻かれているスプリットリング２００の巻かれた部分の間２１０に容易に挿し込むことができる。
【００３２】
前記テーパー部１１Ａの尖った頂部が図７ａのように巻かれているスプリットリングの巻かれた部分の間２１０に挿し込まれ、その後、前記下部支持部１１Ｂの一部がスプリットリングに挿し込まれてスプリットリングの巻かれた部分の間２１０が広くなれば、図７ｂのように擬似餌３００に連結されたリング３１０を前記巻かれた部分の間に挿し込む。
【００３３】
図７ｂのように擬似餌３００のリング３１０をスプリットリング２００の巻かれた部分の間２１０に挿し込んだ後、図７ｃのように前記リング３１０を前記巻かれた部分の間２１０に沿って進行させれば、前記スプリットリング２００に前記擬似餌３００のリング３１０が取り付けられることになる。
【００３４】
このように、本発明のスプリットリング挿入部１１は、汎用プライヤの縦軸（Ｌ軸）に垂直方向に尖った形状で突出し、スプリットリング２００に擬似餌３００のリング３１０を連結することができる。
本発明のスプリットリング挿入部１１は、望ましくは内径３ｍｍ〜１２ｍｍのスプリットリングを開くときに使用することができる。
【００３５】
図１０ｂ及び図１０ｃを見れば、スプリットリング挿入部１１のテーパー部１１Ａがスプリットリング２００の巻かれた部分の間２１０に挿し込まれて巻かれた部分を開く過程で、スプリットリング２００の位置を維持するため、凹設部１１Ｄの両側面には溝状のスプリットリング引っ掛け部１１Ｅが形成されている。
【００３６】
前記スプリットリング引っ掛け部１１Ｅは内径３ｍｍのように小さいサイズのスプリットリングに適するが、それより大きいサイズのスプリットリングも前記スプリットリング引っ掛け部１１Ｅに位置させてテーパー部１１Ａによって巻かれた部分の間を開くことができる。
【００３７】
前記スプリットリング挿入部１１のテーパー部１１Ａは、円錐、三角錐、四角錐のように多様な形状で形成でき、同様に前記下部支持部１１Ｂも円錐、三角錐、四角錐のように多様な形状で形成することができる。
【００３８】
また、本発明のスプリットリング挿入部１１は、擬似餌だけでなく、釣り針に連結されたリング及びその他の用途のリングを連結するときにも使用することができる。例えば、キーホルダに連結されたスプリットリングにも本発明のスプリットリング挿入部１１を使用することができる。
【００３９】
また、スプリットリング挿入部１１が縦軸（Ｌ軸）の垂直方向に突出した形状を有する場合のみについて上述されたが、本発明によるプライヤは、前記スプリットリング挿入部１１が縦軸（Ｌ軸）の垂直方向に形成される場合だけでなく、水平方向に形成された場合にも適用でき、その他の形態で形成されたスプリットリング挿入部１１にも適用することができる。
【００４０】
また、本発明の汎用プライヤ１００には、前記スプリットリング挿入部１１から回転軸部側に隣接する所に凹凸部１２が形成される。前記凹凸部１２は多数の凹凸を有しており、針、スプリットリングなどを滑らず掴めるようにする。
【００４１】
また、前記凹凸部１２の回転軸部側に隣接する所には捩れ防止部１３が形成されている。前記捩れ防止部１３は、一対の掴み部１０の片方１０Ａに形成された縦軸（Ｌ軸）の垂直方向に突出したピン１３Ａ、及び前記ピン１３Ａを収容する掴み部１０の他方１０Ｂに形成された収容空洞からなる。（図１を参照）
【００４２】
前記スプリットリング挿入部１１がスプリットリングの巻かれた部分の間２１０に挿し込まれるとき、捩れ力が汎用プライヤに作用して汎用プライヤが捩れることがあり得るが、前記捩れ防止部１３の突出したピン１３Ａが前記収容空洞に収容されながら捩れ力を相殺することができる。前記捩れ力はスプリットリング挿入部１１だけでなく、ラインカッター部１４及びワイヤカッター部１５で切断が行われるときにも発生し得る。
また、本発明では、図８のように回転軸部２０に隣接して掴み部１０及びハンドル部３０側に捩れ防止部１６、３１が形成されている。
【００４３】
前記捩れ防止部１６、３１は、一対の部分円形板１６Ａ、１６Ｂ；３１Ａ、３１Ｂが相互支持する形態で互いに力を働かせて、汎用プライヤに加えられる捩れ力を相殺させる。
【００４４】
図２の分解図を見れば、前記捩れ防止部１６、３１の一対の部分円形板１６Ａ、１６Ｂ；３１Ａ、３１Ｂがそれぞれの本体１００Ａ、１００Ｂの第１及び第２回転軸部２０Ａ、２０Ｂの側面に形成されている。
図２に示された前記一対の部分円形板１６Ａ、１６Ｂ；３１Ａ、３１Ｂは組み立てられて図８のような形態の捩れ防止部１６、３１を形成するようになる。
【００４５】
このように本願発明では捩れ防止部１３、１６、３１を設けて、従来汎用プライヤの回転軸部２０に作用する捩れ力を支持することで、製品寿命を延ばすことができる。
また、掴み部１０の捩れ防止部１３から回転軸部２０側に隣接する所にラインカッター部１４及びワイヤカッター部１５が形成されている。
【００４６】
ラインカッター部１４はポリエチレンライン、カーボンライン及びナイロンラインのような釣り糸を切断する機能を備え、ワイヤカッター部１５はワイヤまたはワイヤを含むラインのように高剛性材料を切断する機能を備える。
【００４７】
前記ワイヤカッター部１５には多数の溝が形成されている。ワイヤカッター部１５で切断するワイヤまたはワイヤを含むラインは剛性が高く、切断中に滑ることがあり得るため、多数の溝を形成し、前記溝にワイヤ及びワイヤを含むラインが置かれた状態で切断するようにした。
【００４８】
また、図２を見れば、ワイヤカッター部１５、ラインカッター部１４、凹凸部１２及びスプリットリング挿入部１１は、ボルト孔１５Ｃ、１４Ｃ、１２Ｃと螺糸山を有する孔１５Ｄ、１４Ｄ、１２Ｄとからなるねじ結合によって分解組立が可能になっている。それにより、切断部、溝を有する部分及びスプリットリング挿入部１１のテーパー部が繰り返される使用によって鈍磨したとき、該当部分のみを容易に入れ替えることができる。
【００４９】
図９は、スプリットリング挿入部１１及び凹凸部１２が挿入され組み立てられる一対の掴み部１０Ａ、１０Ｂの底面を示した図である。また、図１０ａはテーパー部１１Ａ、下部支持部１１Ｂ及び凸設部１１Ｃが凹凸部１２と一体的に形成されて、図９の底面に組み立てられた構成を、図１０ｃは凹設部１１Ｄ及びスプリットリング引っ掛け部１１Ｅが凹凸部１２と一体的に形成されて、図９の一対の掴み部１０Ａ、１０Ｂの底面に組み立てられた構成を示した図である。
【００５０】
図１０ａ及び図１０ｂのボルト孔１２Ｃは、それぞれ図９のボルト孔１２Ｄと重なってボルト締結されるものであり、それぞれ図２のボルト孔１２Ｃ及び１２Ｄと同じものである。
【００５１】
図１０ａ及び図１０ｂの構成にはガイド溝１２Ｆが４個それぞれ形成され、図９の構成には前記ガイド溝１２Ｆに挿入されるガイド突出部１２Ｅが形成されて、組み立てられるとき左右に揺れることを防止する。
【００５２】
以上、一体的に形成された一対のスプリットリング引っ掛け部１１Ｅ、凹凸部１２の底面にガイド溝１２Ｆが形成され、一対の掴み部１０Ａ、１０Ｂに組み立てられる場合を説明したが、前記スプリットリング引っ掛け部及び凹凸部だけでなく、他の機能で使用する工具チップを前記一対の掴み部１０Ａ、１０Ｂの少なくとも一方に取り付けて使用でき、前記工具チップにもガイド溝１２Ｆが形成されて工具チップが前記一対の掴み部の少なくとも一方の底面に組み立てられる場合、前記ガイド突出部１２Ｅが前記工具チップのガイド溝１２Ｆに挿し込まれて左右に揺れることを防止することができる。
また、本発明では回転軸部２０の側面に潤滑油（ｇｒｅａｓｅ）供給口を設け、前記供給口から本発明の汎用プライヤに潤滑油を供給することができる。
【００５３】
また、本発明では、全体重量を軽くするため、ハンドル部には多数の空洞３２を設け、また、使用中に滑らないようにハンドル部には凹部及び凸部が形成される。
【００５４】
また、ハンドル部３０には、曲がった釣り針の傾きを調整する釣り針調整部３３がさらに設けられている。図１１は釣り針調整部３３の拡大図であり、図１２のように曲がった釣り針を前記調整部３３に挿し込んで釣り針を調整するようになる。
また、本発明の材質は、アルミニウム、タングステン、ステンレス、チタンなどの金属及び焼結金属からなることが望ましい。
【００５５】
以上、本発明を具体的な構成要素などの特定事項と限定された実施例及び図面に基づいて説明したが、これは本発明のより全般的な理解を助けるために提供されたものに過ぎず、記載された実施例によって本発明が限定されることはなく、本発明が属する分野で通常の知識を持つ者であればこのような記載から多様に修正及び変形することができる。したがって、本発明の思想は記載された実施例に限定されるものではなく、添付の特許請求の範囲だけでなく、特許請求の範囲と均等又は等価的変形の全てが本発明の思想の範疇に属することは言うまでもない。
【符号の説明】
【００５６】
１００  汎用プライヤ
１０  掴み部
２０  回転軸部
３０  ハンドル部
１１  スプリットリング挿入部
１２  凹凸部
１３  捩れ防止部
１４  ラインカッター部
１５  ワイヤカッター部
４０  潤滑油供給口
３１  捩れ防止部
３２  空洞部
【図１】
2017007081.tif 000003
【図２】
2017007081.tif 000004
【図３】
2017007081.tif 000005
【図４】
2017007081.tif 000006
【図５】
2017007081.tif 000007
【図６ａ】
2017007081.tif 000008
【図６ｂ】
2017007081.tif 000009
【図６ｃ】
2017007081.tif 000010
【図６ｄ】
2017007081.tif 000011
【図７ａ】
2017007081.tif 000012
【図７ｂ】
2017007081.tif 000013
【図７ｃ】
2017007081.tif 000014
【図８】
2017007081.tif 000015
【図９】
2017007081.tif 000016
【図１０ａ】
2017007081.tif 000017
【図１０ｂ】
2017007081.tif 000018
【図１０ｃ】
2017007081.tif 000019
【図１１】
2017007081.tif 000020
【図１２】
2017007081.tif 000021
【手続補正書】
【提出日】平成28年4月28日(2016.4.28)
【手続補正１】
【補正対象書類名】特許請求の範囲
【補正対象項目名】全文
【補正方法】変更
【補正の内容】
【特許請求の範囲】
【請求項１】
第１掴み部（１０Ａ）、第１回転軸部（２０Ａ）及び第１ハンドル部（３０Ａ）の順になる第１本体（１００Ａ）；並びに
第２掴み部（１０Ｂ）、第２回転軸部（２０Ｂ）及び第２ハンドル部（３０Ｂ）の順になる第２本体（１００Ｂ）；を含む汎用プライヤにおいて、
第１掴み部（１０Ａ）及び第１ハンドル部（３０Ａ）のいずれか一方に、一対の部分円形板（１６Ａ）（１６Ｂ）；（３１Ａ）（３１Ｂ）の形態からなる互いに対面して支持する捩れ防止部（１６）；（３１）を含み、
前記一対の部分円形板（１６Ａ）（１６Ｂ）；（３１Ａ）、（３１Ｂ）は、それぞれ第１及び第２回転軸部（２０Ａ）（２０Ｂ）の側面に形成され、第１及び第２回転軸部（２０Ａ）（２０Ｂ）よりもいずれも肉薄であり、
前記第１及び第２掴み部（１０Ａ）（１０Ｂ）が閉じられれば、第１回転軸部（２０Ａ）側面の部分円形板（１６Ａ）；（３１Ａ）は第２本体（１００Ｂ）に形成された溝（１０Ｂｂ）（３０Ｂｂ）に挿入されることを特徴とする捩れ防止工具用プライヤ。
【請求項２】
第１回転軸部（２０Ａ）は第１孔（２０Ａａ）を含み、第２回転軸部（２０Ｂ）は第２孔（２０Ｂｂ）を含み、
前記第１孔（２０Ａａ）に挿入される第１回転軸部材（２０Ｄ）及び前記第２孔（２０Ｂｂ）に挿入される第２回転軸部材（２０Ｃ）を含み、
前記第１回転軸部材（２０Ｄ）と第２回転軸部材（２０Ｃ）とが結合して回転軸中心を成し、
前記第１孔（２０Ａａ）及び第１回転軸部材（２０Ｄ）の第１孔に挿入される部分は円形であり、
前記第２孔（２０Ｂｂ）及び第２回転軸部材（２０Ｃ）の第２孔に挿入される部分は互いに相対回転不可な形状であり、
第１回転軸部（２０Ａ）のみが第１回転軸部材（２０Ｄ）と第２回転軸部材（２０Ｃ）とからなる回転軸中心に対して回転自在であり、第１回転軸部（２０Ａ）と連結される掴み部（１０Ａ）及びハンドル部（３０Ａ）は前記回転軸中心に対して回転自在であり、第２回転軸部（２０Ｂ）と連結される掴み部（１０Ｂ）及びハンドル部（３０Ｂ）は前記回転軸中心に対して回転不可であることを特徴とする請求項１に記載の捩れ防止工具用プライヤ。
【請求項３】
前記第１及び第２掴み部（１０Ａ）（１０Ｂ）は捩れ防止部（１３）をさらに含み、
前記捩れ防止部（１３）は前記一対の掴み部（１０Ａ）、（１０Ｂ）の片方に形成されたピン（１３Ａ）と、他方に形成された前記ピンを収容する収容空洞とからなることを特徴とする請求項１または請求項２に記載の捩れ防止工具用プライヤ。
【請求項４】
前記一対の第１及び第２掴み部（１０Ａ）（１０Ｂ）の少なくとも一方の底面にはガイド突出部（１２Ｅ）が形成され、
入れ替えられる工具チップにはガイド溝（１２Ｆ）が形成され、前記入れ替えられる工具チップが前記一対の掴み部の少なくとも一方の底面に組み立てられる場合、前記ガイド突出部（１２Ｅ）が前記ガイド溝（１２Ｆ）に挿入されて左右に揺れることを防止することを特徴とする請求項１または請求項２に記載の捩れ防止工具用プライヤ。
【請求項５】
前記一対の第１及び第２掴み部（１０Ａ）（１０Ｂ）の底面にはそれぞれ一体的に形成された一対のスプリットリング挿入部（１１）及び凹凸部（１２）が挿入され組み立てられ、
前記一体的に形成された一対のスプリットリング挿入部（１１）及び凹凸部（１２）のそれぞれにはガイド溝（１２Ｆ）が形成され、一対の第１及び第２掴み部（１０Ａ）、（１０Ｂ）のそれぞれの底面にはガイド突出部（１２Ｅ）が形成され、組み立てられた後、前記ガイド突出部（１２Ｅ）が前記ガイド溝（１２Ｆ）に挿入されて左右に揺れることを防止することを特徴とする請求項１または請求項２に記載の捩れ防止工具用プライヤ。
【手続補正２】
【補正対象書類名】図面
【補正対象項目名】図３
【補正方法】変更
【補正の内容】
【図３】
2017007081.tif 000022
【手続補正３】
【補正対象書類名】図面
【補正対象項目名】図８
【補正方法】変更
【補正の内容】
【図８】
2017007081.tif 000023